(57)【要約】  【課題】ドア開放警告を音で報知する機能を備えた冷蔵庫において、不要な際の音の煩わしさを低減し、冷蔵庫としての使い勝手を向上できる冷蔵庫を提供する。  【解決手段】冷蔵庫の扉１の開き角度を検知できる扉角度センサー１０と、扉の開放警告を報知する発音装置１１と、扉の開き角度に基づいて発音装置を制御する発音装置制御手段１２を備え、扉の開き角度が設定された値よりも大きい場合は、扉開放警告の音量を小さくし、扉の開き角度が設定された値よりも小さい場合は、扉開放警告の音量を大きく制御することで、食品を冷蔵庫に入れている最中や、扉が大きく開いていて、そのことが容易に視認できる場合は、報知音量が小さくなり、音による煩わしさを低減することができる。また、扉の閉め方不足などで扉が小さく開いていて、そのことが容易に視認できない場合は、報知音を大きくして、これを防止することができる。【選択図】図１
2009008353.tif 000002
【特許請求の範囲】
【請求項１】
冷蔵庫の扉の開き角度を検知できる扉角度センサーと、扉の開放警告を報知する発音装置と、前記扉の開き角度に基づいて前記発音装置を制御する制御装置を備え、扉の開き角度が設定された値よりも大きい場合は、扉開放警告の音量を小さくし、扉の開き角度が設定された値よりも小さい場合は、扉開放警告の音量を大きく制御することを特徴とした冷蔵庫。
【請求項２】
引き出し式の扉と、前記引き出し式扉の開き位置を検知する位置センサーと、扉の開放警告を報知する発音装置と、前記扉の開き位置に基づいて前記発音装置を制御する制御装置を備え、扉の開き位置が設定された位置よりも大きく開く位置の場合は、扉開放警告の音量を小さくし、扉の開き位置が設定された位置よりも小さく開く位置の場合は、扉開放警告の音量を大きく制御することを特徴とした冷蔵庫。
【請求項３】
扉の開き角度が維持された時間を積算できる制御装置を備え、扉の開き角度が所定の時間維持されない場合は、扉開放警告を行わないことを特徴とする請求項１に記載の冷蔵庫。
【請求項４】
扉の引き出し位置が維持された時間を積算できる制御装置を備え、扉の開き位置が所定の時間維持されない場合は、扉開放警告を行わないことを特徴とする請求項２に記載の冷蔵庫。
【請求項５】
扉の開き角度が維持された時間を積算できる制御装置を備え、扉の開き角度が所定の時間以上維持された場合、扉の開き角度に関係なく、扉開放警告の音量を大きくすることを特徴とする請求項１または３に記載の冷蔵庫。
【請求項６】
扉の引き出し位置が維持された時間を積算できる制御装置を備え、扉の開き位置が所定の時間以上維持された場合、扉の開き位置に関係なく、扉開放警告の音量を大きくすることを特徴とする請求項２または４に記載の冷蔵庫。
【請求項７】
扉開放警告音量を自動制御するモードと、音量を一定にするモードと、警報機能を停止するモードを使用者が任意に設定できる切り替えスイッチを備えたことを特徴とする請求項１から６のいずれか一項に記載の冷蔵庫。
【発明の詳細な説明】
【技術分野】
【０００１】
本発明は、ドア開放警告を音で報知する機能を備えた冷蔵庫に関するものである。
【背景技術】
【０００２】
従来、冷蔵庫の扉の閉め忘れを防止するために、それを警告する機能をもつ冷蔵庫があり、そのような警告機能をもつ冷蔵庫としては、扉を有する冷蔵庫本体と、扉の開閉を検知する扉開閉検知手段と、本体内部の庫内を照明する庫内灯と、この庫内灯の点灯、点滅、消灯等を行う庫内灯駆動回路と、本体に設けられ、扉を閉め忘れていることを警告するために警告音を発する警告音発生手段と、扉を閉め忘れた場合に、警告音発生手段により警告音を発すると共に、庫内灯駆動回路により庫内灯を点滅させる制御手段とを備えた冷蔵庫が提案されている（例えば、特許文献１参照）。
【０００３】
図８は、特許文献１に記載された従来のドア開放警告機能を備えた冷蔵庫の構造を示す概略正面図である。図８において、１は冷蔵室の扉、２は冷凍室（上）の扉、３は冷蔵室の扉１の開閉を検知する扉開閉検知手段である冷蔵室ドアＳＷ、４は冷凍室（上）の扉２の開閉を検知する扉開閉検知手段である冷凍室（上）ドアＳＷ、５はヒンジカバーである。図９は上記従来の冷蔵庫の庫内灯周辺を制御する回路のブロック図である。図において、９は冷蔵庫全体を制御する制御手段を構成するマイコン、６は庫内を照らす庫内灯７をＯＮ／ＯＦＦさせる回路、８は警告音を発生する警告音発生手段であるブザーで、ブザー８は図８のヒンジカバー５の中に取り付けられる。これらによって、扉を閉め忘れた場合に、警告音発生手段により警告音を発すると共に、庫内灯駆動回路により庫内灯を点滅させるので、扉閉め忘れの情報を、従来の様に耳からだけでなく、目からも得ることが可能になり、使用者が気付くチャンスが大幅に増え、長時間にわたる扉の開放が防げるという効果が得られるというものである。
【特許文献１】特開２０００−１３０９１７号公報
【発明の開示】
【発明が解決しようとする課題】
【０００４】
しかしながら、上記従来の構成では、食品を入れている最中などに大音量の警告音が流れると、使用者にとってその音は煩わしいものになる。また、音量を小さく設定すると、扉閉め忘れなどを気づきにくくなる恐れがある等の課題を有していた。
【０００５】
本発明は、上記従来の課題を解決するもので、扉の状態によって警告音量を自動で制御することで、不要な際の音の煩わしさを低減し、冷蔵庫としての使い勝手を向上することを目的とする。
【課題を解決するための手段】
【０００６】
上記従来の課題を解決するために本発明の冷蔵庫は、冷蔵庫の扉の開き角度を検知できる扉角度センサーと、扉の開放警告を報知する発音装置と、扉の開き角度に基づいて発音装置を制御する制御装置を備え、扉の開き角度が設定された値よりも大きい場合は、扉開放警告の音量を小さくし、扉の開き角度が設定された値よりも小さい場合は、扉開放警告の音量を大きく制御するものである。
【０００７】
また、引き出し式の扉と、引き出し式扉の開き位置を検知する位置センサーと、扉の開放警告を報知する発音装置と、扉の開き位置に基づいて発音装置を制御する制御装置を備え、扉の開き位置が設定された位置よりも大きく開く位置の場合は、扉開放警告の音量を小さくし、扉の開き位置が設定された位置よりも小さく開く位置の場合は、扉開放警告の音量を大きく制御するものである。
【０００８】
これにより、食品を冷蔵庫に入れている最中や、扉や引き出しが大きく開いていて、そのことが容易に視認できる場合は、報知音量が小さくなり、音による煩わしさを低減することができる。
【発明の効果】
【０００９】
本発明の冷蔵庫は、食品を冷蔵庫に入れている最中や、扉や引き出しが大きく開いていて、そのことが容易に視認できる場合は、報知音量が小さくなり、音による煩わしさを低減することができる。また、扉や引き出しの閉め方不足などで扉が小さく開いていて、そのことが容易に視認できない場合は、報知音量を大きくして、効果的に警告することができ、使い勝手を向上することができる。
【発明を実施するための最良の形態】
【００１０】
請求項１に記載の発明は、冷蔵庫の扉の開き角度を検知できる扉角度センサーと、扉の開放警告を報知する発音装置と、扉の開き角度に基づいて発音装置を制御する制御装置を備え、扉の開き角度が設定された値よりも大きい場合は、扉開放警告の音量を小さくし、扉の開き角度が設定された値よりも小さい場合は、扉開放警告の音量を大きく制御することで、食品を冷蔵庫に入れている最中や、扉が大きく開いていて、そのことが容易に視認できる場合は、報知音量が小さくなり、音による煩わしさを低減することができる。また、扉の閉め方不足などで扉が小さく開いていて、そのことが容易に視認できない場合は、報知音を大きくして、効果的に警告することができる。
【００１１】
請求項２に記載の発明は、引き出し式の扉と、引き出し式扉の開き位置を検知する位置センサーと、扉の開放警告を報知する発音装置と、扉の開き位置に基づいて前記発音装置を制御する制御装置を備え、扉の開き位置が設定された位置よりも大きく開く位置の場合は、扉開放警告の音量を小さくし、扉の開き位置が設定された位置よりも小さく開く位置の場合は、扉開放警告の音量を大きく制御することで、食品を冷蔵庫に入れている最中や、引き出しが大きく開いていて、そのことが容易に視認できる場合は、報知音量が小さくなり、音による煩わしさを低減することができる。また、引き出しの閉め方不足などで引き出しが小さく開いていて、そのことが容易に視認できない場合は、報知音を大きくして、効果的に警告することができる。
【００１２】
請求項３に記載の発明は、請求項１に記載の発明において、扉の開き角度が維持された時間を積算できる制御装置を備え、扉の開き角度が所定の時間維持されない場合は、扉開放警告を行わないものであり、使用者が扉を開け閉めして、食品の出し入れをしている最中は、警告音を鳴らさないようにすることができる。
【００１３】
請求項４に記載の発明は、請求項２に記載の発明において、扉の引き出し位置が維持された時間を積算できる制御装置を備え、扉の開き位置が所定の時間維持されない場合は、扉開放警告を行わないものであり、使用者が引き出しを開け閉めして、食品の出し入れをしている最中は、警告音を鳴らさないようにすることができる。
【００１４】
請求項５に記載の発明は、請求項１または３に記載の発明において、扉の開き角度が維持された時間を積算できる制御装置を備え、扉の開き角度が所定の時間以上維持された場合、扉の開き角度に関係なく、扉開放警告の音量を大きくするものであり、使用者が冷蔵庫を視認できる場所に居ない場合は、大音量の警告音で使用者に知らせることができる。
【００１５】
請求項６に記載の発明は、請求項２または４に記載の発明において、扉の引き出し位置が維持された時間を積算できる制御装置を備え、扉の開き位置が所定の時間以上維持された場合、扉の開き位置に関係なく、扉開放警告の音量を大きくするものであり、使用者が冷蔵庫を視認できる場所に居ない場合は、大音量の警告音で使用者に知らせることができる。
【００１６】
請求項７に記載の発明は、請求項１から６のいずれか一項に記載の発明において、扉開放警告音量を自動制御するモードと、音量を一定にするモードと、警報機能を停止するモードを使用者が任意に設定できる切り替えスイッチを備えたものであり、使用者の要望に応じた設定で冷蔵庫を使用することができる。
【００１７】
以下、本発明の実施の形態について、図面を参照しながら説明する。なお、この実施の形態によってこの発明が限定されるものではない。
【００１８】
（実施の形態１）
図１は、本発明の実施の形態１における冷蔵庫の制御装置のブロック図であり、冷蔵庫の構成と動作を示すものである。
【００１９】
図１において、冷蔵庫の冷蔵室の扉１の開き角度を検知できる扉角度センサー１０を備え、扉の開放警告を報知する発音装置１１を備え、冷蔵室の扉１の開き角度に基づいて発音装置１１を制御する発音装置制御手段１２を備えた構成となっている。尚、扉角度センサー１０としては、可変抵抗器、圧電素子、ホール素子などで構成されたセンサーが考えられ、それぞれ同様の機能が得られる。
【００２０】
以上のように構成された冷蔵庫について、以下その動作、作用を説明する。
【００２１】
まず、冷蔵庫の電源投入後、冷蔵室の扉１を開けると扉角度センサー１０によって、扉の開き角度を検知する。次に、冷蔵室の扉１の開かれた状態が所定の時間以上継続されると、冷蔵室の扉１の開き角度が設定された値よりも大きい場合は、発音装置制御手段１２によって発音装置１１を小音量で鳴らす。また、冷蔵室の扉１の開き角度が設定された値よりも小さい場合は、発音装置制御手段１２によって発音装置１１を大音量で鳴らす。
【００２２】
以上のように、本実施の形態においては扉の開き角度に応じて、扉開放警告音の音量を制御することで、食品を冷蔵庫に入れている最中や、扉が大きく開いていて、そのことが容易に視認できる場合は、報知音量が小さくなり、音による煩わしさを低減することができる。また、扉の閉め方不足などで扉が小さく開いていて、そのことが容易に視認できない場合は、報知音を大きくして、効果的に警告することができる。
【００２３】
（実施の形態２）
図２は、本発明の実施の形態２における冷蔵庫の制御装置のブロック図であり、冷蔵庫の構成と動作を示すものである。
【００２４】
図２において、冷蔵庫の冷凍室などの引き出し式扉１４を備え、引き出し式扉１４の開き位置を検知する位置センサー１３を備え、引き出し式扉１４の開放警告を報知する発音装置１１を備え、引き出し式扉１４の開き位置に基づいて発音装置１１を制御する発音装置制御手段１２を備えた構成となっている。尚、位置センサー１３としては、可変抵抗器、圧電素子、ホール素子などで構成されたセンサーが考えられ、それぞれ同様の機能が得られる。
【００２５】
以上のように構成された冷蔵庫について、以下その動作、作用を説明する。
【００２６】
まず、冷蔵庫の電源投入後、冷蔵庫の冷凍室などの引き出し式扉１４を開けると位置センサー１３によって扉の開き位置を検知する。次に、引き出し式扉１４の開かれた状態が所定の時間以上継続されると、扉の開き位置が設定された位置よりも大きい場合は、発音装置制御手段１２によって発音装置１１を小音量で鳴らす。また、扉の開き位置が設定された位置よりも小さい場合は、発音装置制御手段１２によって発音装置１１を大音量で鳴らす。
【００２７】
以上のように、本実施の形態においては、引き出し式扉の開き具合に応じて扉開放警告音の音量を制御することで、食品を冷蔵庫に入れている最中や、引き出しが大きく開いていて、そのことが容易に視認できる場合は、報知音量が小さくなり、音による煩わしさを低減することができる。また、引き出しの閉め方不足などで引き出しが小さく開いていて、そのことが容易に視認できない場合は、報知音を大きくして、効果的に警告することができる。
【００２８】
（実施の形態３）
本発明の実施の形態３における冷蔵庫の制御動作を図３のフローチャートで説明する。
【００２９】
まず、冷蔵庫の電源投入後、冷蔵室の扉１を開けると扉角度センサー１０によって、扉の開き角度を検知する。次に、扉の開き角度が所定の時間維持された場合は、発音装置制御手段１２によって発音装置１１を鳴らす。扉の開き角度が所定の時間内に変化して、且つ扉が開いている場合は再度その開き角度が維持されている時間を積算し所定の時間に達すれば発音装置制御手段１２によって発音装置１１を鳴らす。
【００３０】
以上のように、本実施の形態においては、扉の開き角度が所定の時間維持されない場合は、扉開放警告を行わないことで、使用者が扉を開け閉めして、食品の出し入れをしている最中は、警告音を鳴らさないようにすることができる。
【００３１】
（実施の形態４）
本発明の実施の形態４における冷蔵庫の制御動作を図４のフローチャートで説明する。
【００３２】
まず、冷蔵庫の電源投入後、冷蔵庫の冷凍室などの引き出し式扉１４を開けると位置センサー１３によって扉の開き位置を検知する。次に、扉の開き位置が所定の時間維持された場合は、発音装置制御手段１２によって発音装置１１を鳴らす。扉の開き位置が所定の時間内に変化して、且つ扉が開いている場合は再度その開き角度が維持されている時間を積算し所定の時間に達すれば発音装置制御手段１２によって発音装置１１を鳴らす。
【００３３】
以上のように、本実施の形態においては、扉の開き位置が所定の時間維持されない場合は、扉開放警告を行わないことで、使用者が引き出しを開け閉めして、食品の出し入れをしている最中は、警告音を鳴らさないようにすることができる。
【００３４】
（実施の形態５）
本発明の実施の形態５における冷蔵庫の制御動作を図５のフローチャートで説明する。
【００３５】
まず、冷蔵庫の電源投入後、冷蔵室の扉１を開けると扉角度センサー１０によって、扉の開き角度を検知する。次に、扉の開き角度が所定の時間維持された場合は、発音装置制御手段１２によって発音装置１１を大音量で鳴らす。扉の開き角度が所定の時間内に変化して、且つ扉が開いている場合は再度その開き角度が維持されている時間を積算し所定の時間に達すれば発音装置制御手段１２によって発音装置１１を大音量で鳴らす。
【００３６】
以上のように、本実施の形態においては、扉の開き角度が所定の時間以上維持された場合、扉の開き角度に関係なく、扉開放警告の音量を大きくすることで、使用者が冷蔵庫を視認できる場所に居ない場合は、大音量の警告音で使用者に知らせることができる。
【００３７】
（実施の形態６）
本発明の実施の形態６における冷蔵庫の制御動作を図６のフローチャートで説明する。
【００３８】
まず、冷蔵庫の電源投入後、冷蔵庫の冷凍室などの引き出し式扉１４を開けると位置センサー１３によって扉の開き位置を検知する。次に、扉の開き位置が所定の時間維持された場合は、発音装置制御手段１２によって発音装置１１を大音量で鳴らす。扉の開き位置が所定の時間内に変化して、且つ扉が開いている場合は再度その開き角度が維持されている時間を積算し所定の時間に達すれば発音装置制御手段１２によって発音装置１１を大音量で鳴らす。
【００３９】
以上のように、本実施の形態においては、扉の開き位置が所定の時間以上維持された場合、扉の開き位置に関係なく、扉開放警告の音量を大きくすることで、使用者が冷蔵庫を視認できる場所に居ない場合は、大音量の警告音で使用者に知らせることができる。
【００４０】
（実施の形態７）
図７は、本発明の実施の形態７における冷蔵庫の制御装置のブロック図であり、冷蔵庫の構成と動作を示すものである。
【００４１】
図７において、扉開放警告音量を自動制御するモードと、音量を一定にするモードと、警報機能を停止するモードを使用者が任意に設定できる切り替えスイッチ１５を備えた構成となっている。
【００４２】
以上のように、本実施の形態においては、使用者の要望に応じた設定で冷蔵庫を使用することができる。
【００４３】
本実施の形態では、各々の機能ごとに説明をしたが、それぞれを組み合わせて用いてもなんら問題はない。
【産業上の利用可能性】
【００４４】
以上のように、本発明にかかる冷蔵庫は、貯蔵室の扉の開き角度や位置を検知する手段と扉の閉め忘れを警告する発音装置を備えることで、使用者にとって警告音に煩わされることなく、必要なときに警告音を鳴らすことができるものであり、利便性の向上を図ることができ、冷蔵庫に限らず、扉の閉め忘れを警告する機能を備えた収納庫などにおいても適用できる。
【図面の簡単な説明】
【００４５】
【図１】本発明の実施の形態１における冷蔵庫の制御装置のブロック図
【図２】本発明の実施の形態２における冷蔵庫の制御装置のブロック図
【図３】本発明の実施の形態３における冷蔵庫の制御装置のフローチャート
【図４】本発明の実施の形態４における冷蔵庫の制御装置のフローチャート
【図５】本発明の実施の形態５における冷蔵庫の制御装置のフローチャート
【図６】本発明の実施の形態６における冷蔵庫の制御装置のフローチャート
【図７】本発明の実施の形態７における冷蔵庫の制御装置のブロック図
【図８】従来のドア開放警告機能を備えた冷蔵庫の構造を示す概略正面図
【図９】従来のドア開放警告機能を備えた冷蔵庫を制御する回路のブロック図
【符号の説明】
【００４６】
１    扉
１０  扉角度センサー
１１  発音装置
１２  発音装置制御手段（制御装置）
１３  位置センサー
１４  引き出し式扉
１５  切り替えスイッチ
【図１】
2009008353.tif 000003
【図２】
2009008353.tif 000004
【図３】
2009008353.tif 000005
【図４】
2009008353.tif 000006
【図５】
2009008353.tif 000007
【図６】
2009008353.tif 000008
【図７】
2009008353.tif 000009
【図８】
2009008353.tif 000010
【図９】
2009008353.tif 000011